(57)【要約】【課題】光学部材（光学シート）の原製品（原反）から得られる光学部材の取り数の減少を防止または抑制しつつ、光学部材の位置決めができる光源装置および表示装置を提供すること。【解決手段】  透過する光の特性を調整するシート状の光学部材１２と透過する光の特性を調整する板状の光学部材１１とを有する光源装置であって、シート状の光学部材１２は略四辺形に形成されて四辺のうちの少なくとも一辺の外周縁近傍には貫通孔状の係合孔１２１が形成され、板状の光学部材１１は略四辺形に形成されて四辺のうちの少なくとも一辺の外周縁近傍には凸状の係合突起１１１が形成され、シート状の光学部材１２に形成される係合孔１２１が板状の光学部材１１に形成される係合突起１１１と係合することによってシート状の光学部材１２が板状の光学部材１１に対して位置決めされる。【選択図】図１
2009289597.tif 000002
【特許請求の範囲】
【請求項１】
透過する光の特性を調整するシート状の光学部材と透過する光の特性を調整する板状の光学部材とを有する光源装置であって、前記シート状の光学部材は略四辺形に形成されて四辺のうちの少なくとも一辺の外周縁近傍には貫通孔状の係合孔が形成され、前記板状の光学部材は略四辺形に形成されて四辺のうちの少なくとも一辺の外周縁近傍には凸状の係合突起が形成され、前記シート状の光学部材に形成される係合孔が前記板状の光学部材に形成される係合突起と係合することを特徴とする光源装置。
【請求項２】
前記シート状の光学部材の四辺のうちの少なくとも一辺に形成される係合孔は該一辺の略中心に形成され、前記板状の光学部材の四辺のうちの少なくとも一辺に形成される係合突起は該一辺の略中心に形成されることを特徴とする請求項１に記載の光源装置。
【請求項３】
前記シート状の光学部材は、偏光反射シート、レンズシート、拡散シートのうちの少なくとも一つであり、前記板状の光学部材は拡散板であることを特徴とする請求項１または請求項２に記載の光源装置。
【請求項４】
請求項１から請求項３のいずれかに記載の光源装置と、液晶表示パネルとを備えることを特徴とする表示装置。
【発明の詳細な説明】
【技術分野】
【０００１】
本発明は、光源装置および表示装置に関するものであり、詳しくは、光の特性を調整して透過型の表示パネルなどの背面に照射することができる光源装置と、この光源装置を備える表示装置に関するものである。
【背景技術】
【０００２】
透過型の液晶表示パネルなどといった非自発光型の表示パネルを備える表示装置には、表示パネルの背面側に光源装置が配設される構成を備えるものがある。このような表示装置に組み込まれる光源装置は、蛍光管などの光源と、この光源が発する光の特性を調整する光学部材とを備え、特性を調整した光を表示パネルの背面側に照射することができる。照射された光が表示パネルを透過すると、表示パネルの前面側には、画像が可視状態に表示される。
【０００３】
光の特性を調整する光学部材には、板状のものやシート状またはフィルム状のものがある。このうち、シート状またはフィルム状の光学部材は薄く軟らかいため、しわや撓みが発生することがある。シート状またはフィルム状の光学部材に、しわや撓みが発生すると、光源装置から射出される光の面方向の輝度分布が不均一となることがある。射出される光の面方向の輝度分布が不均一となると、表示パネルの前面側（すなわち画面上）に、輝度ムラや陰影が現れることがある。このような輝度ムラや陰影は、表示装置の表示品位を低下させるおそれがあることから、光学部材にしわや撓みのない状態に維持することが好ましい。
【０００４】
シート状またはフィルム状の光学部材のしわや撓みの原因としては、たとえばシート状またはフィルム状の光学部材の所定の位置からのズレが挙げられる。すなわち、シート状またはフィルム状の光学部材が自重やその他の外力によって所定の位置から位置ずれを起こすことがある。そうすると、シート状またはフィルム状の光学部材にしわや撓みが発生することがある。したがって、シート状またはフィルム状の光学部材が所定の位置から位置ズレを起こさないように、シート状またはフィルム状の光学部材が位置決めされて支持される構成であることが好ましい。
【０００５】
シート状またはフィルム状の光学部材の支持構造としては、たとえば次のような構成が提案されている。特許文献１や特許文献２には、光学部材（光学シート）の外周に突起を設けるとともに、光学部材を支持するフレームなどの部材に溝を形成し、光学部材（光学シート）の外周に形成される突起を、フレームなどに形成される溝に嵌合する構成が開示されている。
【０００６】
特許文献３には、光学部材（光学シート）の外周に突起を形成するとともにこの突起に貫通孔を形成し、この貫通孔にボスを遊嵌することにより光学部材（光学シート）を保持するという構成が開示されている。特許文献４には、光学部材の外周に位置決め片を形成するとともに、フレームなどの部材に凹部を形成し、この位置決め片を凹部に係合する構成が開示されている。
【０００７】
これらのような構成によれば、シート状またはフィルム状の光学部材は、突起部が溝などに嵌ることによって、または突起に形成される貫通孔にボスなどを遊挿することによって、位置決めされて支持される。したがって、これらのような構成によれば、光学部材（光学シート）が所定の位置からズレることを防止または抑制でき、この結果、光学部材（光学シート）にしわや撓みが発生することを防止または抑制できる。
【０００８】
ところで、光学部材の外周に突起や位置決め片を形成する構成では、次のような問題点を有することがある。一般的に、光源装置に組み込まれるシート状またはフィルム状の光学部材は、大面積または長尺の原製品を、所定の寸法形状に切断することにより得られる。このように原製品を切断して得る場合において、外周に突起や位置決め片が形成される構成であると、一枚の光学部材を得るために必要となる原製品の外形が大きくなる。このため、原製品から得られる光学部材の数が減少するとともに、原製品に無駄となる部分（最終製品とならずに、切り取られて廃棄される部分）が生じる。この結果、光学部材のコスト上昇を招くおそれがある。
【０００９】
【特許文献１】特開２００３−３５８９９号公報
【特許文献２】特開２００６−１１４４４５号公報
【特許文献３】特開平１１−３３７９４２号公報
【特許文献４】特開２００１−７６５２７号公報
【発明の開示】
【発明が解決しようとする課題】
【００１０】
上記実情に鑑み、本発明が解決しようとする課題は、光学部材の無駄を少なくすることができる光源装置および表示装置を提供すること、または、光学部材（光学シート）の原製品（原反）から得られる光学部材の取り数の減少を防止または抑制しつつ、光学部材の位置決めができる光源装置および表示装置を提供することである。
【課題を解決するための手段】
【００１１】
前記課題を解決するため、本発明は、透過する光の特性を調整するシート状の光学部材と透過する光の特性を調整する板状の光学部材とを有する光源装置であって、前記シート状の光学部材は略四辺形に形成されて四辺のうちの少なくとも一辺の外周縁近傍には貫通孔状の係合孔が形成され、前記板状の光学部材は略四辺形に形成されて四辺のうちの少なくとも一辺の外周縁近傍には凸状の係合突起が形成され、前記シート状の光学部材に形成される係合孔が前記板状の光学部材に形成される係合突起と係合することを要旨とするものである。
【００１２】
ここで、前記シート状の光学部材の四辺のうちの少なくとも一辺に形成される係合孔は該一辺の略中心に形成され、前記板状の光学部材の四辺のうちの少なくとも一辺に形成される係合突起は該一辺の略中心に形成されることが好ましい。
【００１３】
また、前記シート状の光学部材は、偏光反射シート、レンズシート、拡散シートのうちの少なくとも一つであり、前記板状の光学部材は拡散板であることが好ましい。
【００１４】
本発明は、前記光源装置と、液晶表示パネルとを備えることを要旨とするものである。
【発明の効果】
【００１５】
本発明によれば、シート状またはフィルム状の光学部材に形成される係合孔が、板状の光学部材に形成される係合突起に係合することによって、シート状またはフィルム状の光学部材が板状の光学部材に対して位置決めされて保持される。したがって、シート状またはフィルム状の光学部材が板状の光学部材に対して位置ずれを起こすことが防止または抑制され、位置ずれに起因するシート状またはフィルム状の光学部材のしわや撓みを防止または抑制することができる。
【００１６】
前記シート状の光学部材の四辺のうちの少なくとも一辺に形成される係合孔は該一辺の略中心に形成されて係合する構成であれば、シート状またはフィルム状の光学部材が熱膨張した場合であっても、膨脹した分は外側に延びることができる。したがって、熱膨張による寸法変化に起因するしわや撓みの発生を防止または抑制することができる。
【００１７】
シート状またはフィルム状の光学部材は、偏光反射シート、レンズシート、拡散シートのうちの少なくとも一つであり、前記板状の光学部材は拡散板であれば、いずれも樹脂材料により形成される。したがって、熱膨張係数が近いから、熱膨張の不均一に起因するしわや撓みの発生を防止または抑制することができる。
【００１８】
このような光源装置と、液晶表示パネルとを備える構成であれば、画面上に、シート状またはフィルム状の光学部材のしわや撓みに起因する輝度ムラや陰影の発生を防止することができる。したがって、表示品位の高い表示装置を提供することができる。
【発明を実施するための最良の形態】
【００１９】
以下に、本発明の実施形態について、図面を参照して詳細に説明する。図１は、本発明の実施形態にかかる光学部材１１，１２の構成を、模式的に示した外観斜視図である。
【００２０】
本発明の実施形態にかかる光学部材１１，１２のうち、板状の光学部材１１には、たとえば拡散板が適用できる。拡散板は、透過する光をランダムに拡散させることによって、光源が発する光の面方向の輝度分布の均一化を図ることができる光学部材である。拡散板は、たとえば、略透明な樹脂材料からなる基材に、光を反射する性質を有する微粒子が混合される構成を有する。そして、射出成形などによって形成される。
【００２１】
図１に示すように、板状の光学部材１１には、係合突起１１１が形成される。これらの係合突起１１１は、後述するシート状またはフィルム状の光学部材１２に形成される係合孔１２１に遊嵌気味に係合可能な突起である。これらの係合突起１１１は、板状の光学部材１１の片側表面上に形成されるものであり、板状の光学部材１１の片側表面から表面の法線方向に突出するように形成される。これらの係合突起１１１は、板状の光学部材１１の外周近傍であって、所定の辺の略中心に形成される構成であることが好ましい。図１においては、板状の光学部材１１の四辺のそれぞれに一箇所ずつ形成される構成を示す。ただし、本発明は、この構成に限定されるものではない。たとえば、四辺のうちの一辺、二辺または三辺に形成される構成であってもよい。要は、この板状の光学部材１１が表示装置に組み付けられた状態において、表示パネルの表示領域に重ならない位置（たとえば表示領域の外側）に係合突起が形成される構成であればよい。
【００２２】
また、これらの係合突起１１１は、図１に示すように、板状の光学部材１１の所定の辺の略中心に形成される構成であることが好ましい。ただし、本発明はこの構成に限定されるものではない。たとえば、板状の光学部材１１の所定の辺に、略等間隔に複数の係合突起１１１が形成される構成であってもよい。また、板状の光学部材１１の四隅近傍に形成される構成であってもよい。さらに、板状の光学部材１１の所定の辺の略中心と、四隅近傍とに形成される構成であってもよい。このように、係合突起１１１の数は限定されるものではない。
【００２３】
これらの係合突起１１１は、板状の光学部材１１を射出成形などする際に、同時に一体的に形成される構成であることが好ましい。このほか、別部材からなる係合突起１１１が板状の光学部材１１の所定の位置に接着や溶着などされる構成であってもよい。要は、板状の光学部材１１が最終製品となった時点において、係合突起１１１が板状の光学部材１１に一体的となる構成であればよい。
【００２４】
本発明の実施形態にかかる光学部材１１，１２のうち、シート状またはフィルム状の光学部材１２としては、拡散シート、レンズシート、偏光反射シートなどが適用できる。要は、シート状またはフィルム状に形成される光学部材であって、透過する光の特性を調整するものであればよい。
【００２５】
シート状またはフィルム状の光学部材１２には、板状の光学部材１１に形成される係合突起１１１を遊嵌気味に挿通できる係合孔１２１が形成される。この係合孔１２１は、シート状またはフィルム状の光学部材１２を板状の光学部材１１に重ね合わせた状態において、板状の光学部材１１に形成される係合突起１１１に対応する位置に形成される。図１においては、シート状またはフィルム状の光学部材１２の四辺の略中心に、係合孔１２１が形成される構成を示す。そして、シート状またはフィルム状の光学部材１２を、板状の光学部材１１に重ね合わせると、板状の光学部材１１に形成される係合突起１１１と、シート状またはフィルム状の光学部材１２に形成される係合孔１２１とが係合する。したがって、シート状またはフィルム状の光学部材１２を、板状の光学部材１１の表面に、位置決めした状態に保持することができる。
【００２６】
ここで、拡散シート、レンズシートおよび偏光反射シートについて簡単に説明する。拡散シートは、透過する光をランダムに拡散することによって、面方向の輝度分布の均一化を図ることができる光学部材である。この拡散シートは、略透明な基材に光を乱反射する性質を有する微粒子を混合したものをシート状またはフィルム状に成形したものである。略透明な基材としては、ＰＥＴ（ポリエチレンテレフタレート）などが適用できる。
【００２７】
レンズシートは、基材の層と、所定の断面形状を有し集光機能を有する層との積層構造を有する。基材の層には、ＰＥＴ（ポリエチレンテレフタレート）などが適用でき、集光機能を有する層にはアクリル樹脂などが適用できる。このレンズシートは、透過する光を集光して輝度の向上を図る機能を有する。
【００２８】
偏光反射シート（輝度向上シートとも称する）は、所定の方向の偏光（所定の方向に振動する光）を透過し、それ以外の偏光を反射する光学部材である。この偏光反射シートには、ＤＢＥＦシリーズ（「ＤＢＥＦ」はスリーエムカンパニーの登録商標）が好適である。
【００２９】
そして、図１に示すように、板状の光学部材１１の表面（係合突起１１１が形成される側の表面）に、所定のシート状またはフィルム状の光学部材１２が積み重ねられるように配設される。この際に、板状の光学部材１１に形成される係合突起１１１と、シート状またはフィルム状の光学部材１２に形成される係合孔１２１とを係合させる（係合突起１１１を係合孔１２１に挿通する）。これにより、シート状またはフィルム状の光学部材１２は、板状の光学部材１１の表面に、位置決めされた状態に支持される（すなわち、シート状またはフィルム状の光学部材１２は、板状の光学部材１１に対して位置決めされる）。したがって、シート状またはフィルム状の光学部材１２の位置ずれを防止または抑制することができ、位置ずれに起因するしわや撓みの発生を防止または抑制することができる。
【００３０】
そして、板状の光学部材１１と、シート状またはフィルム状の光学部材１２とが、各辺の略中心に形成される係合突起１１１と係合孔１２１とにより係合する構成であれば、板状の光学部材１１やシート状またはフィルム状の光学部材１２が熱変形（特に膨脹）したときに、各辺の中心から両側に向かって変形することができる。したがって、熱変形した場合であっても、シート状またはフィルム状の光学部材１２にしわや撓みが発生することを防止または抑制できる。
【００３１】
また、シート状またはフィルム状の光学部材１２には、面方向外側に突出する位置決め片や突起を形成する必要がないから、大面積または長尺の原製品から切りだす際に、切り出しの外形寸法を大きくする必要がなくなる。したがって、原製品に無駄となる部分がなくなるから、シート状またはフィルム状の光学部材１２のコスト上昇を抑制することができる。これら（板状の光学部材１１とシート状またはフィルム状の光学部材１２）は、樹脂材料で構成されており、シート状またはフィルム状の光学シート１２が金属のシャーシ２１に位置決めされている構成に比べ、熱変形の影響を受けにくい。
【００３２】
次に、本発明の実施形態にかかる光学部材１１，１２を備える光源装置２について説明する。図２は、本発明の実施形態にかかる光学部材１１，１２を備える光源装置２（すなわち、本発明の実施形態にかかる光源装置２）の構成を、模式的に示した分解斜視図である。なお、説明の便宜上、図２中の上方を、本発明の実施形態にかかる光源装置２の前面側と称し、下方を背面側と称する。
【００３３】
本発明の実施形態にかかる光源装置２は、シャーシ２１と、反射シート２２と、光源２３と、ランプクリップ２４と、サイドホルダ２５と、本発明の実施形態にかかる光学部材１１，１２と、フレーム２６と、光源駆動回路基板２７と、光源駆動回路基板カバー２８とを備える。
【００３４】
シャーシ２１（バックライトシャーシと称することもある）は、略平板状の部材である。シャーシ２１の両長辺には、前面側に向かって起立し相対向する側壁２１１が形成される。側壁２１１の先端（シャーシ２１の前面側）には、本発明の実施形態にかかる光学部材１１，１２を載置するための段差面２１２が形成される。このシャーシ２１は、たとえば、金属の板材によりプレス加工などを用いて形成される構成が適用される。
【００３５】
反射シート２２は、光を乱反射させる表面性状を有するシート状、フィルム状または板状の部材である。この反射シート２２は、たとえばシート状、フィルム状または板状の発泡ＰＥＴ（ポリエチレンテレフタレート）などにより形成される。
【００３６】
光源２３は所定の波長の光を発することができる部材である。光源２３にはたとえば、冷陰極管や熱陰極管などの各種蛍光管、キセノン管などの放電管、ＬＥＤ（発光ダイオード）などといった、従来公知の各種光源が適用できる。図２に示す光源装置２は、光源２３として線状の蛍光管が適用される構成を有するが、本発明はこの構成に限定されるものではない。
【００３７】
ランプクリップ２４は、光源２３を保持するとともに、本発明の実施形態にかかる光学部材１１，１２のスペーサとしても機能する部材である。
【００３８】
本発明の実施形態にかかる光学部材１１，１２は、光源２３が発する光の特性を調整する部材である。詳細については前述の通りである。
【００３９】
サイドホルダ２５は、光源２３の両端（電極近傍）を覆うとともに、本発明の実施形態にかかる光学部材１１，１２を載置するためのスペーサとして機能する。このサイドホルダ２５は、略棒状の部材であり、たとえば合成樹脂材料などにより一体的に形成される。このサイドホルダ２５の前面側には、本発明の実施形態にかかる光学部材１１，１２を載置できる載置面２５１が形成される。
【００４０】
フレーム２６は、後述する表示パネルを支持および／または保護する部材である。図２に示すようにフレーム２６は、略四辺形の開口した額縁状の部材である。このフレーム２６は、合成樹脂などにより一体的に形成される構成、合成樹脂などから形成される部品が組み合わされる構成、金属の板材などのプレス加工により一体的に形成される構成、金属の板材などからなる部品が組み合わされる構成、などが適用できる。
【００４１】
光源駆動回路基板２７は、光源２３を駆動する電子回路および／または電気回路などが構築される基板である。光源２３として蛍光管が用いられる場合には、インバータ回路などが構築される。光源駆動回路基板カバー２８は、光源駆動回路基板２７を覆う板状または底の浅いトレイ状の部材である。この光源駆動回路基板カバー２８は、光源駆動回路基板２７を保護するとともに、光源駆動回路基板２７からの不要輻射を防止する。このため、この光源駆動回路基板カバー２８は、金属などの導体により形成される。
【００４２】
このような部材を備える光源装置２の組み付け構造は、次のとおりである。
【００４３】
図２を参照して説明する。シャーシ２１の前面側に反射シート２２が配設される。さらにその前面側には、複数の光源２３が並べて配設される。これらの光源２３は、ランプクリップ２４などによってシャーシ２１の底面の前面側に保持される。そしてシャーシ２１の短辺に、光源２３の両端部を覆うようにサイドホルダ２５が配設される。
【００４４】
シャーシ２１の側壁の段差面２１２およびサイドホルダ２５の載置面２５１に、所定の光学部材１１，１２が載置される。具体的には、まず板状の光学部材１１（具体的にはたとえば拡散板）が載置され、その前面側に所定のシート状またはフィルム状の光学部材１２が載置される。この際、板状の光学部材１１に形成される係合突起１１１とシート状またはフィルム状の光学部材１２に形成される係合孔１２１とを係合させる。これにより、シート状またはフィルム状の光学部材１２は、板状の光学部材１１の前面側に、位置決めされて保持される。
【００４５】
なお、板状の光学部材１１とシート状またはフィルム状の光学部材１２の具体的な組合せは、たとえば次のとおりである。（１）板状の光学部材１１として拡散板を備え、シート状またはフィルム状の光学部材１２として、拡散シート、レンズシート、偏光反射シートを備える。そして、背面から順に、拡散板、拡散シート、レンズシート、偏光反射シートが積み重ねられる。（２）板状の光学部材１１として拡散板を備え、シート状またはフィルム状の光学部材１２として偏光反射シートと２枚の拡散シートとを備える。そして、背面から順に、拡散板、２枚の拡散シート、偏光反射シートが積み重ねられる。（３）板状の光学部材１１として拡散板を備え、シート状またはフィルム状の光学部材１２としてレンズシートと２枚の拡散シートとを備える。そして、背面から順に、拡散板、拡散シート、レンズシート、拡散シートが積み重ねられる。（４）板状の光学部材１１として拡散板を備え、シート状またはフィルム状の光学部材１２として一枚、二枚または三枚の拡散シートを備える。そして、背面から順に、拡散板、所定枚数（一枚、二枚または三枚）の拡散シートが積み重ねられる。なお、板状の光学部材１１とシート状またはフィルム状の光学部材１２との組合せは、これらの組合せに限定されるものではない。光源装置２や表示装置の種類などに応じて、適宜選択すればよい。
【００４６】
そしてその前面側からフレーム２６がシャーシ２１に装着される。また、シャーシ２１の背面には光源駆動回路基板２７が配設されるとともに、光源駆動回路基板カバー２８が光源駆動回路基板２７を覆うように配設される。
【００４７】
このような構成によれば、シート状またはフィルム状の光学部材１２は、板状の光学部材１１（拡散板）に位置決めされて支持される。したがって、シート状またはフィルム状の光学部材１２の位置ズレに起因するしわや撓みの発生を防止または抑制することができる。
【００４８】
次に、本発明の実施形態にかかる光源装置を備える表示装置３（すなわち、本発明の実施形態にかかる表示装置３）について説明する。図３は、本発明の実施形態にかかる表示装置３の構成を、模式的に示した分解斜視図である。
【００４９】
図３に示すように、本発明の実施形態にかかる表示装置３は、本発明の実施形態にかかる光源装置２と、表示パネル３１と、ベゼル３２と、コントロール回路基板３３と、コントロール回路基板カバー３４とを備える。
【００５０】
表示パネル３１は、従来公知の各種透過型の表示パネルが適用できる。たとえば、透過型のアクティブマトリックスタイプの液晶表示パネルが好適に適用できる。ベゼル３２は、表示パネル３１を支持および／または保護する機能などを有する部材である。図３に示すようにこのベゼル３２は、開口した略四辺形の形状を有する。コントロール回路基板３３は、外部から入力される信号に基づいて、表示パネル３１を駆動するコントロール信号を生成する電子回路および／または電気回路などが構築される回路基板である。コントロール回路基板カバー３４は、コントロール回路基板３３を覆う部材である。
【００５１】
本発明の実施形態にかかる表示装置３の組み付け構造は次のとおりである。本発明の実施形態にかかる光源装置２のフレーム２６の前面側に、表示パネル３１が配設される。そしてその前面側からベゼル３２が装着される。これにより、表示パネル３１は、本発明の実施形態にかかる光源装置２のフレーム２６とベゼル３２との間に保持されることになる。また、本発明の実施形態にかかる光源装置２のシャーシ２１の背面側には、コントロール回路基板３３が配設される。そしてコントロール回路基板３３を覆うように、コントロール回路基板カバー３４が配設される。
【００５２】
このような表示装置３によれば、本発明の実施形態にかかる光源装置２が発する光が表示パネル３１を透過すると、表示パネル３１の前面側には画像が可視状態に表示される。前記のようにシート状またはフィルム状の光学部材１２は板状の光学部材１１に位置決めされて支持されており、しわや撓みの発生が防止または抑制されているから、本発明の実施形態にかかる表示装置３は、輝度ムラや陰影のない高品位の画像表示を行うことができる。
【００５３】
次に、本発明の実施形態にかかる表示装置を備えるテレビ受信機について簡単に説明する。図４は、本発明の実施形態にかかる表示装置を備えるテレビ受信機６の構成の一例を模式的に示した分解斜視図である。このテレビ受信機６は、チューナ６３と、表示装置３と、拡声手段６４と、電源６２と、キャビネット６１１，６１２と、支持部材６５とを備える。
【００５４】
チューナ６３は、受信した電波や外部から入力された信号に基づいて所定のチャンネルの画像信号と音声信号を生成する。このチューナ６３には、従来一般の地上波（アナログ地上波および／またはデジタル地上波）チューナ、ＢＳチューナ、ＣＳチューナなどが適用される。
【００５５】
表示装置３は、チューナ６３が生成した画像信号に基づいて画像を表示する。この表示装置３には、前記本発明の実施形態にかかる表示装置３が適用できる。拡声手段６４は、チューナ６３が生成した音声信号に基づいて音声を発する。この拡声手段６４には、従来一般のスピーカなど、従来公知の各種拡声手段が適用できる。電源６２は、チューナ６３、表示装置３、拡声手段６４などに電力を供給する。
【００５６】
そして、チューナ６３、表示装置３、拡声手段６４、電源６２は、キャビネット（図４に示すキャビネットは、前面側キャビネット６１１と背面側キャビネット６１２とにより構成される）に収納され、支持部材６５により支持される。なお、このような構成に限定されるものではなく、たとえばチューナ６３、拡声手段６４、電源６２が表示装置３に組み付けられる構成であってもよい。
【００５７】
以上、本発明の各種実施形態について詳細に説明したが、本発明は前記各種実施形態に何ら限定されるものではなく、本発明の趣旨を逸脱しない範囲で種々の改変が可能である。
【図面の簡単な説明】
【００５８】
【図１】本発明の実施形態にかかる光源装置に適用される光学部材の構成を模式的に示した図である。
【図２】本発明の実施形態にかかる光源装置の構成を、模式的に示した分解斜視図である。
【図３】本発明の実施形態にかかる光源装置を備える表示装置（本発明の実施形態にかかる表示装置）の構成を、模式的に示した分解斜視図である。
【図４】本発明の実施形態にかかる表示装置を備えるテレビ受信機の構成を、模式的に示した分解斜視図である。
【符号の説明】
【００５９】
１１  板状の光学部材
１１１  係合突起
１２  シート状またはフィルム状の光学部材
１２１  係合孔
２  光源装置
２１  シャーシ
２１１  側壁
２１２  段差面
２２  反射シート
２３  光源
２４  ランプクリップ
２５  サイドホルダ
２５１  載置面
２６  フレーム
２７  光源駆動回路基板
２８  光源駆動回路基板カバー
３  表示装置
３１  表示パネル
３２  ベゼル
３３  コントロール回路基板
３４  コントロール回路基板カバー
６  テレビ受信機
６１１，６１２  キャビネット
６２  電源
６３  チューナ
６４  拡声手段
６５  支持部材
【図１】
2009289597.tif 000003
【図２】
2009289597.tif 000004
【図３】
2009289597.tif 000005
【図４】
2009289597.tif 000006